【手続補正書】
【提出日】平成21年11月20日(2009.11.20)
【手続補正１】
【補正対象書類名】特許請求の範囲
【補正対象項目名】全文
【補正方法】変更
【補正の内容】
【特許請求の範囲】
【請求項１】
ディジタル動画像信号をブロック単位に変換・量子化することによって圧縮符号化して生成されたビットストリームを入力として、ディジタル動画像信号を復号する動画像復号装置において、
前記ディジタル動画像信号の各ピクチャをすべてイントラ符号化するか否かを示す識別情報を復号する復号部を備え、
前記識別情報が、前記ディジタル動画像信号の各ピクチャをすべてイントラ符号化することを示す場合、変換・量子化の単位となるブロックの境界に施すデブロッキングフィルタを無効化した復号画像を生成することを特徴とする動画像復号装置。
【請求項２】
ディジタル動画像信号を圧縮符号化したビットストリームを入力として動画像信号の復号を行う動画像復号装置において、
動画像信号のクロマフォーマットが４：２：０ないしは４：２：２の場合の輝度成分に相当する信号成分に対して第１のイントラ予測画像の生成を行う第１のイントラ予測画像生成部と、
動画像信号のクロマフォーマットが４：２：０ないしは４：２：２の場合の色差成分に相当する信号成分に対して第２のイントラ予測画像の生成を行う第２のイントラ予測画像生成部と、
前記入力ビットストリームから、圧縮符号化された動画像信号のクロマフォーマット種別を示すクロマフォーマット識別情報を動画像シーケンス単位の情報として復号するとともに、該クロマフォーマット識別情報に基づいて入力ビットストリームをマクロブロック単位に解析して、前記第１のイントラ予測画像の生成に用いる第１のイントラ予測モード、ないしは前記第２のイントラ予測画像の生成に用いる第２のイントラ予測モード、および前記第１のイントラ予測画像、ないしは前記第２のイントラ予測画像との予測誤差信号を変換符号化した量子化係数データをビットストリーム中から復号する可変長復号部と、
前記量子化係数データを逆量子化、逆変換して予測誤差信号へ復号する予測誤差信号復号部を備え、
前記クロマフォーマット識別情報に基づき、クロマフォーマットが４：２：０ないしは４：２：２の場合は、前記第１のイントラ予測画像生成部と前記第１のイントラ予測モードに基づいて輝度成分のイントラ予測画像を、前記第２のイントラ予測画像生成部と前記第２のイントラ予測モードに基づいて色差成分のイントラ予測画像を生成し、クロマフォーマットが４：４：４の場合は、前記第１のイントラ予測画像生成部と前記第１のイントラ予測モードに基づいて全色成分のイントラ予測画像を生成して、得られたイントラ予測画像と前記予測誤差信号復号部の出力を加算することにより動画像信号を復号することを特徴とする動画像復号装置。
【請求項３】
請求項２記載の動画像復号装置において、前記可変長復号部は、クロマフォーマットが４：４：４の場合に、さらに共通符号化・独立符号化の種別を識別する共通符号化・独立符号化識別信号を動画像シーケンス単位の情報として復号し、該識別情報が共通符号化であることを示す場合は、前記第１のイントラ予測モードとして、復号される動画像信号の全色成分の信号に共通の予測モードを復号し、
前記識別信号が独立符号化であることを示す場合は、前記第１のイントラ予測モードとして、復号される動画像信号の各色成分の信号に対して個別の予測モードをそれぞれ復号することを特徴とする動画像復号装置。
【請求項４】
ディジタル動画像信号を圧縮符号化したビットストリームを入力として動画像信号の復号を行う動画像復号装置において、
動画像信号のクロマフォーマットが４：２：０ないしは４：２：２の場合の輝度成分に相当する信号成分に対して第１のインター予測画像の生成を行う第１の動き補償部と、
動画像信号のクロマフォーマットが４：２：０ないしは４：２：２の場合の色差成分に相当する信号成分に対して第２のインター予測画像の生成を行う第２の動き補償部と、
前記入力ビットストリームから、圧縮符号化された動画像信号のクロマフォーマット種別を示すクロマフォーマット識別情報を動画像シーケンス単位の情報として復号するとともに、該クロマフォーマット識別情報に基づいて入力ビットストリームをマクロブロック単位に解析して、前記第１のインター予測画像の生成に用いる第１の動き情報、ないしは前記第２のインター予測画像の生成に用いる第２の動き情報、および前記第１のインター予測画像、ないしは前記第２のインター予測画像との予測誤差信号を変換符号化した量子化係数データをビットストリーム中から復号する可変長復号部と、
前記量子化係数データを逆量子化、逆変換して予測誤差信号へ復号する予測誤差信号復号部を備え、
前記クロマフォーマット識別情報に基づき、クロマフォーマットが４：２：０ないしは４：２：２の場合は、前記第１の動き情報に基づいて前記第２の動き情報の復号値を生成し、前記第１の動き補償部と前記第１の動き情報に基づいて輝度成分のインター予測画像を、前記第２の動き補償部と前記第２の動き情報に基づいて色差成分のインター予測画像を生成し、クロマフォーマットが４：４：４の場合は、前記第１の動き補償部と前記第１の動き情報に基づいて全色成分のインター予測画像を生成して、得られたインター予測画像と前記予測誤差信号復号部の出力を加算することにより動画像信号を復号することを特徴とする動画像復号装置。
【請求項５】
請求項４記載の動画像復号装置において、前記可変長復号部は、クロマフォーマットが４：４：４の場合に、さらに共通符号化・独立符号化の種別を識別する共通符号化・独立符号化識別信号を動画像シーケンス単位の情報として復号し、該識別情報が共通符号化であることを示す場合は、前記第１の動き情報として、復号される動画像信号の全色成分の信号に共通の動き情報を復号し、
前記識別信号が独立符号化であることを示す場合は、前記第１の動き情報として、復号される動画像信号の各色成分の信号に対して個別の動き情報をそれぞれ復号することを特徴とする動画像復号装置。
【請求項６】
ディジタル動画像信号をブロック単位に変換・量子化することによって圧縮符号化して生成されたビットストリームを入力として、ディジタル動画像信号を復号する動画像復号方法において、
前記ディジタル動画像信号の各ピクチャをすべてイントラ符号化するか否かを示す識別情報を復号する復号ステップを備え、
前記識別情報が、前記ディジタル動画像信号の各ピクチャをすべてイントラ符号化することを示す場合、変換・量子化の単位となるブロックの境界に施すデブロッキングフィルタを無効化した復号画像を生成することを特徴とする動画像復号方法。
【請求項７】
ディジタル動画像信号を圧縮符号化したビットストリームを入力として動画像信号の復号を行う動画像復号方法において、
動画像信号のクロマフォーマットが４：２：０ないしは４：２：２の場合の輝度成分に相当する信号成分に対して第１のイントラ予測画像の生成を行う第１のイントラ予測画像生成ステップと、
動画像信号のクロマフォーマットが４：２：０ないしは４：２：２の場合の色差成分に相当する信号成分に対して第２のイントラ予測画像の生成を行う第２のイントラ予測画像生成ステップと、
前記入力ビットストリームから、圧縮符号化された動画像信号のクロマフォーマット種別を示すクロマフォーマット識別情報を動画像シーケンス単位の情報として復号するとともに、該クロマフォーマット識別情報に基づいて入力ビットストリームをマクロブロック単位に解析して、前記第１のイントラ予測画像の生成に用いる第１のイントラ予測モード、ないしは前記第２のイントラ予測画像の生成に用いる第２のイントラ予測モード、および前記第１のイントラ予測画像、ないしは前記第２のイントラ予測画像との予測誤差信号を変換符号化した量子化係数データをビットストリーム中から復号する可変長復号ステップと、
前記量子化係数データを逆量子化、逆変換して予測誤差信号へ復号する予測誤差信号復号ステップを備え、
前記クロマフォーマット識別情報に基づき、クロマフォーマットが４：２：０ないしは４：２：２の場合は、前記第１のイントラ予測画像生成ステップと前記第１のイントラ予測モードに基づいて輝度成分のイントラ予測画像を、前記第２のイントラ予測画像生成ステップと前記第２のイントラ予測モードに基づいて色差成分のイントラ予測画像を生成し、クロマフォーマットが４：４：４の場合は、前記第１のイントラ予測画像生成ステップと前記第１のイントラ予測モードに基づいて全色成分のイントラ予測画像を生成して、得られたイントラ予測画像と前記予測誤差信号復号ステップの出力を加算することにより動画像信号を復号することを特徴とする動画像復号方法。
【請求項８】
ディジタル動画像信号を圧縮符号化したビットストリームを入力として動画像信号の復号を行う動画像復号方法において、
動画像信号のクロマフォーマットが４：２：０ないしは４：２：２の場合の輝度成分に相当する信号成分に対して第１のインター予測画像の生成を行う第１の動き補償ステップと、
動画像信号のクロマフォーマットが４：２：０ないしは４：２：２の場合の色差成分に相当する信号成分に対して第２のインター予測画像の生成を行う第２の動き補償ステップと、
前記入力ビットストリームから、圧縮符号化された動画像信号のクロマフォーマット種別を示すクロマフォーマット識別情報を動画像シーケンス単位の情報として復号するとともに、該クロマフォーマット識別情報に基づいて入力ビットストリームをマクロブロック単位に解析して、前記第１のインター予測画像の生成に用いる第１の動き情報、ないしは前記第２のインター予測画像の生成に用いる第２の動き情報、および前記第１のインター予測画像、ないしは前記第２のインター予測画像との予測誤差信号を変換符号化した量子化係数データをビットストリーム中から復号する可変長復号ステップと、
前記量子化係数データを逆量子化、逆変換して予測誤差信号へ復号する予測誤差信号復号ステップを備え、
前記クロマフォーマット識別情報に基づき、クロマフォーマットが４：２：０ないしは４：２：２の場合は、前記第１の動き情報に基づいて前記第２の動き情報の復号値を生成し、前記第１の動き補償ステップと前記第１の動き情報に基づいて輝度成分のインター予測画像を、前記第２の動き補償ステップと前記第２の動き情報に基づいて色差成分のインター予測画像を生成し、クロマフォーマットが４：４：４の場合は、前記第１の動き補償ステップと前記第１の動き情報に基づいて全色成分のインター予測画像を生成して、得られたインター予測画像と前記予測誤差信号復号ステップの出力を加算することにより動画像信号を復号することを特徴とする動画像復号方法。
【手続補正２】
【補正対象書類名】明細書
【補正対象項目名】発明の名称
【補正方法】変更
【補正の内容】
【発明の名称】動画像復号装置および動画像復号方法
【手続補正３】
【補正対象書類名】明細書
【補正対象項目名】０００６
【補正方法】変更
【補正の内容】
【０００６】
ディジタル動画像信号を圧縮符号化したビットストリームを入力として動画像信号の復号を行う動画像復号装置において、動画像信号のクロマフォーマットが４：２：０ないしは４：２：２の場合の輝度成分に相当する信号成分に対して第１のイントラ予測画像の生成を行う第１のイントラ予測画像生成部と、動画像信号のクロマフォーマットが４：２：０ないしは４：２：２の場合の色差成分に相当する信号成分に対して第２のイントラ予測画像の生成を行う第２のイントラ予測画像生成部と、前記入力ビットストリームから、圧縮符号化された動画像信号のクロマフォーマット種別を示すクロマフォーマット識別情報を動画像シーケンス単位の情報として復号するとともに、該クロマフォーマット識別情報に基づいて入力ビットストリームをマクロブロック単位に解析して、前記第１のイントラ予測画像の生成に用いる第１のイントラ予測モード、ないしは前記第２のイントラ予測画像の生成に用いる第２のイントラ予測モード、および前記第１のイントラ予測画像、ないしは前記第２のイントラ予測画像との予測誤差信号を変換符号化した量子化係数データをビットストリーム中から復号する可変長復号部と、前記量子化係数データを逆量子化、逆変換して予測誤差信号へ復号する予測誤差信号復号部を備え、前記クロマフォーマット識別情報に基づき、クロマフォーマットが４：２：０ないしは４：２：２の場合は、前記第１のイントラ予測画像生成部と前記第１のイントラ予測モードに基づいて輝度成分のイントラ予測画像を、前記第２のイントラ予測画像生成部と前記第２のイントラ予測モードに基づいて色差成分のイントラ予測画像を生成し、クロマフォーマットが４：４：４の場合は、前記第１のイントラ予測画像生成部と前記第１のイントラ予測モードに基づいて全色成分のイントラ予測画像を生成して、得られたイントラ予測画像と前記予測誤差信号復号部の出力を加算することにより動画像信号を復号するものである。